(57)【要約】【課題】  鍼施術を行う際に、施術者の指が極力鍼体及び患者の皮膚に接触しないようにして、鍼灸治療において感染症等が発生するのを効果的に防止できるようにする。【解決手段】  シール保持体１２の表面に所定間隔を空けて指先保護シール１３，１３を剥離可能に貼着すると共に、指先保護シール１３，１３の表面に被覆シール１４，１４を剥離可能に貼着して指先保護シール装着体１１を構成する。指先保護シール１３，１３及び被覆シール１４，１４を貼着したシール保持体１２を複数枚積層して指先保護シール装着体１１を構成してもよい。【選択図】          図２
2007007221.tif 000002
【特許請求の範囲】
【請求項１】
シール保持体の表面に所定間隔を空けて指先保護シールを剥離可能に貼着したことを特徴とする指先保護シール装着体。
【請求項２】
前記指先保護シールを貼着したシール保持体を複数枚積層したことを特徴とする請求項１に記載の指先保護シール装着体。
【請求項３】
シール保持体の表面及び裏面に所定間隔を空けて指先保護シールを剥離可能に貼着すると共に、貼着した指先保護シール間のシール保持体に切断線を形成したことを特徴とする指先保護シール装着体。
【請求項４】
長尺帯状のシール保持体の表面及び裏面に所定間隔を空けて指先保護シールを剥離可能に貼着すると共に、長尺帯状のシール保持体を巻取ってリール状に形成したことを特徴とする指先保護シール装着体。
【請求項５】
前記シール保持体の前記指先保護シールが配置される部分に、粘着力の比較的弱い粘着剤を塗布したことを特徴とする請求項１乃至４に記載の指先保護シール装着体。
【請求項６】
前記指先保護シールの表面に、粘着力の比較的強い粘着剤を塗布したことを特徴とする請求項１乃至５に記載の指先保護シール装着体。
【請求項７】
さらに、前記指先保護シールの表面に被覆シールを剥離可能に貼着したことを特徴とする請求項１乃至６に記載の指先保護シール装着体。
【発明の詳細な説明】
【技術分野】
【０００１】
本発明は、鍼灸治療において感染症等の発生を効果的に防止することができる指先保護シール装着体に関する。
【背景技術】
【０００２】
古くから鍼灸治療として、鍼灸用鍼を身体の経穴（ツボ）に刺入し、鍼により刺激を加えたり、鍼に微弱な電流を流したりすることによって、痛み、筋肉のコリをとる等の治療が為されている。
鍼灸治療に使用される鍼灸用鍼１は、図１に示すように、ステンレス鋼等から成る鍼体２と、アルミニウム等から成る鍼柄３と、から構成され、鍼体２の先端部２ａは尖鋭状となっている。
【０００３】
鍼施術を行なう際には、鍼灸師、医師等の施術者が右手の親指と人差指とにより鍼柄３を摘み、左手の親指と人差指とにより鍼体２を摘んで、患者の皮膚に左手の親指と人差指を接触させ、鍼体２の先端部２ａを経穴（ツボ）に位置させる。
そして、左手の親指と人差指により鍼体２を保持しながら、右手の親指と人差指とにより鍼柄３を押下げて、鍼体２の先端部２ａを患者の皮膚に刺入する。
施術後には、左手の親指と人差指により鍼体２を保持しながら、右手の親指と人差指とにより鍼柄３を引上げて、鍼体２の先端部２ａを患者の皮膚から脱出する。
【０００４】
上記の如く、鍼施術の際には、施術者は左手の親指と人差指とにより鍼体２を摘み、患者の皮膚に接触させるから、指に付着した細菌等が鍼体２を介して患者の身体内に侵入する虞がある。
又、鍼体２を患者の皮膚に刺入した際に血液が多少でも流出すると、施術者の指に患者の血液が付着するから、血液に含まれる細菌等が指を介して施術者の身体内に侵入する虞もある。
かかる理由によって、鍼灸治療において感染症等が発生する虞が多分にあった。
【０００５】
鍼灸治療において感染症が発生するのを防止するために、鍼灸用鍼１を適宜消毒したり、使い捨ての鍼灸用鍼１を採用したりしている。
さらに、鍼体２を塩化ビニル等から成る被覆筒体で被覆し、施術者の指が極力鍼体２に接触させないようにした鍼灸用鍼１も提案されている（特許文献１参照）。
【０００６】
【特許文献１】特開２００１−２７６１７７号公報
【発明の開示】
【発明が解決しようとする課題】
【０００７】
しかし、鍼灸用鍼１を適宜消毒したり、使い捨ての鍼灸用鍼１を採用したり、又、被覆筒体で鍼体２を被覆した鍼灸用鍼１を採用したとしても、施術者の指が患者の皮膚に接触することには変わりがない。
よって、施術者の指を介して細菌等が患者の身体内に侵入したり、患者の血液に含まれる細菌等が指を介して施術者の身体内に侵入することを効果的に防止することはできなかった。
【０００８】
本発明は、かかる従来の問題点に鑑みて為されたものであって、鍼施術を行う際に、施術者の指が極力鍼体２及び患者の皮膚に接触しないようにして、鍼灸治療において感染症等が発生するのを効果的に防止できるようにすることを目的とする。
【課題を解決するための手段】
【０００９】
上記目的を達成するため、本発明の指先保護シール装着体は、シール保持体の表面に所定間隔を空けて指先保護シールを剥離可能に貼着したことを特徴とする。
【００１０】
指先保護シール装着体は、前記指先保護シールを貼着したシール保持体を複数枚積層したものとしてもよい。
【００１１】
又、指先保護シール装着体は、シール保持体の表面及び裏面に所定間隔を空けて前記指先保護シールを剥離可能に貼着すると共に、貼着した指先保護シール間のシール保持体に切断線を形成したものとしてもよい。
【００１２】
又、指先保護シール装着体は、長尺帯状のシール保持体の表面及び裏面に所定間隔を空けて前記指先保護シールを剥離可能に貼着すると共に、長尺帯状のシール保持体を巻取ってリール状に形成したものとしてもよい。
【００１３】
前記シール保持体の前記指先保護シールが配置される部分には、粘着力の比較的弱い粘着剤を塗布し、前記指先保護シールの表面には、粘着力の比較的強い粘着剤を塗布しておく。
【００１４】
さらに、前記指先保護シールの表面が汚染され、表面に塵、埃等が付着するのを防止するために、前記指先保護シールの表面には、被覆シールを剥離可能に貼着しておくのが好ましい。
【発明を実施するための最良の形態】
【００１５】
以下、本発明の指先保護シール装着体の好適な実施形態について、図面を参照して具体的に説明する。
【００１６】
本発明の一実施例の指先保護シール装着体１１は、図２に示すように、シール保持体１２の表面に所定間隔を空けて指先保護シール１３，１３を剥離可能に貼着すると共に、指先保護シール１３，１３の表面に被覆シール１４，１４を剥離可能に貼着し、指先保護シール１３，１３及び被覆シール１４，１４を貼着したシール保持体１２を複数枚積層したものである。
【００１７】
シール保持体１２は、表面が平滑な紙、合成紙、布、プラスチック、ゴム等の薄肉シート又はフィルムから成り、幅１０〜３０ｍｍ、厚さ０．０５〜０．５ｍｍ程度で、長方形状に形成されている。
そして、シール保持体１２の一端部に粘着力の比較的強い粘着剤（感圧性接着剤）を塗布して、シール保持体１２を複数枚積層してある。
又、指先保護シール１３が配置される部分には、粘着力の比較的弱い粘着剤（感圧性接着剤）を塗布してある。
粘着剤（感圧性接着剤）としては、ポリ酢酸ビニル系、アクリル酸エステル系、ゴム系等の粘着剤を使用することができる。
【００１８】
指先保護シール１３は、表面が平滑で柔軟な紙、合成紙、布、プラスチック、ゴム等の薄肉シート又はフィルムから成り、直径５〜２０ｍｍ、厚さ０．０１〜０．５ｍｍ程度で、円形状に形成されている。
そして、その表面には、粘着力の比較的強い粘着剤（感圧性接着剤）を塗布してあり、この粘着剤としては、シール保持体１２に塗布すると同様の粘着剤を使用することができる。
【００１９】
被覆シール１４は、表面が平滑で柔軟なプラスチック等の薄肉シート又はフィルムから成り、指先保護シール１３を完全に被覆できる大きさ、又、厚さ０．０５〜０．１ｍｍ程度で、正方形状に形成されている。
尚、被覆シール１４は、指先保護シール１３の表面が汚染され、表面に塵、埃等が付着するのを防止するために添付されているものであり、そのようなことを考慮する必要がない場合には、必ずしも添付されていなくともよい。
【００２０】
シール保持体１２の表面に貼着される指先保護シール１３，１３の間隔は、親指と人差指とを自然に広げた距離とし、３０〜２００ｍｍ程度、特には、４０〜６０ｍｍ程度であることが好ましい。
【００２１】
指先保護シール装着体１１を使用する時には、施術者は、先ず、積層された最上位のシール保持体１２に貼着されている被覆シール１４，１４を剥離し、指先保護シール１３，１３の表面を露出させる。
【００２２】
次に、施術者は、親指と人差指とを自然に広げ、親指及び人差指の指先を最上位のシール保持体１２に貼着されている指先保護シール１３，１３の表面に押当する。
そして、親指及び人差指の指先を最上位のシール保持体１２から離反すれば、図３に示すように、親指及び人差指の指先に指先保護シール１３，１３が貼着する。
【００２３】
上記の如く、親指及び人差指の指先に指先保護シール１３，１３を貼着しておけば、鍼施術を行う際に、施術者の指が鍼体２及び患者の皮膚に直接接触することはなく、患者の血液が施術者の指に付着することもない。
よって、施術者の指に付着した細菌等が鍼体２を介して患者の身体内に侵入したり、患者の血液に含まれる細菌等が施術者の指を介して施術者の身体内に侵入することも殆どなく、感染症等が発生するのを効果的に防止することができる。
【００２４】
施術後には、施術者は、親指及び人差指の指先に貼着した指先保護シール１３，１３を剥離して捨てればよい。又、次回の施術時のために、最上位のシール保持体１２を剥離して捨てておくのが良い。
【００２５】
本発明の他実施例の指先保護シール装着体２１は、図４に示すように、シール保持体２２の表面及び裏面に所定間隔を空けて指先保護シール１３，１３，１３を剥離可能に貼着すると共に、指先保護シール１３，１３，１３の表面に被覆シール１４，１４，１４を剥離可能に貼着し、貼着した指先保護シール１３，１３，１３間のシール保持体２２に切断線２２ａ，２２ａを形成したものである。
【００２６】
指先保護シール１３及び被覆シール１４は、上記指先保護シール装着体１１におけると同様である。
シール保持体２２も、貼着した指先保護シール１３，１３，１３間に切断線２２ａ，２２ａを形成した以外は、上記指先保護シール装着体１１におけると同様である。
【００２７】
指先保護シール装着体２１を使用する時には、施術者は、先ず、シール保持体２２の一端部の表面及び裏面に貼着されている被覆シール１４，１４を剥離し、指先保護シール１３，１３の表面を露出させる。
【００２８】
次に、施術者は、親指及び人差指によってシール保持体２２を挟持する如く、親指及び人差指の指先をシール保持体２２の一端部の表面及び裏面に貼着されている指先保護シール１３，１３の表面に押当する。
そして、親指及び人差指の指先をシール保持体２２から離反すれば、同様に、図３に示すように、親指及び人差指の指先に指先保護シール１３，１３が貼着する。
【００２９】
施術後には、施術者は、親指及び人差指の指先に貼着した指先保護シール１３，１３を剥離して捨てればよい。又、次回の施術時のために、切断線２２ａにおいてシール保持体２２を切断し、その一端部を除去して捨てておくのが良い。
【００３０】
本発明の他実施例の指先保護シール装着体３１は、図５に示すように、長尺帯状のシール保持体３２の表面及び裏面に所定間隔を空けて指先保護シール１３，１３，１３を剥離可能に貼着すると共に、指先保護シール１３，１３，１３の表面に被覆シール１４，１４，１４を剥離可能に貼着し、長尺帯状のシール保持体３２を巻取ってリール状に形成したものである。
【００３１】
指先保護シール１３及び被覆シール１４は、上記指先保護シール装着体１１におけると同様である。
シール保持体３２も、長尺帯状とし、巻取ってリール状に形成した以外は、上記指先保護シール装着体１１におけると同様である。
【００３２】
指先保護シール装着体３１を使用する時には、施術者は、先ず、シール保持体３２の一端部を引出し、その表面及び裏面に貼着されている被覆シール１４，１４を剥離し、指先保護シール１３，１３の表面を露出させる。
【００３３】
次に、施術者は、親指及び人差指によってシール保持体３２を挟持する如く、親指及び人差指の指先をシール保持体３２の一端部の表面及び裏面に貼着されている指先保護シール１３，１３の表面に押当する。
そして、親指及び人差指の指先をシール保持体３２から離反すれば、同様に、図３に示すように、親指及び人差指の指先に指先保護シール１３，１３が貼着する。
【００３４】
施術後には、施術者は、親指及び人差指の指先に貼着した指先保護シール１３，１３を剥離して捨てればよい。又、次回の施術時のために、引出したシール保持体３２の一端部を切断し、除去して捨てておくのが良い。
【図面の簡単な説明】
【００３５】
【図１】鍼灸用鍼の正面図である。
【図２】本発明の一実施例の指先保護シール装着体の（Ａ）は平面図、（Ｂ）は正面図である。
【図３】指先保護シールを指先に貼着した状態を示す説明図である。
【図４】本発明の他実施例の指先保護シール装着体の（Ａ）は平面図、（Ｂ）は正面図である。
【図５】本発明の他実施例の指先保護シール装着体の（Ａ）は平面図、（Ｂ）は正面図である。
【符号の説明】
【００３６】
１１  指先保護シール装着体
１２  シール保持体
１３  指先保護シール
１４  被覆シール
２１  指先保護シール装着体
２２  シール保持体
２２ａ  切断線
３１  指先保護シール装着体
３２  シール保持体
【図１】
2007007221.tif 000003
【図２】
2007007221.tif 000004
【図３】
2007007221.tif 000005
【図４】
2007007221.tif 000006
【図５】
2007007221.tif 000007